(57)【要約】【課題】土の乾燥度合の進んだ圃場での畦形成作業をスムーズに行え強固な畦を形成することのできる畦形成機を提供する。【解決手段】畦形成箇所に沿って移動され、畦形成箇所に土を盛り上げ状態に供給する土盛装置と、土盛装置の移動方向の後方に設置される畦形成装置とを有し、畦形成装置は土を盛り上げ状態とされた畦形成箇所の上面を回転しながら通過させる円筒状回転体と、円筒状回転体の回転駆動力供給側に取り付けられ回転駆動力供給側にいく程径大となり、円筒状回転体の中央に向けた傾斜面を有するとともに表面は放射状に分割される分割片を複数設け、この分割片は放射面に対し平行状に設けた支点軸に軸支され、進行方向に対する前進角を変位可能とした畦形成機。【選択図】　図３
2004135642.tif 000002
【特許請求の範囲】
【請求項１】
畦形成箇所に沿って移動され、畦形成箇所に土を盛り上げ状態に供給する土盛装置と、土盛装置の移動方向の後方に設置される畦形成装置とを有し、畦形成装置は土を盛り上げ状態とされた畦形成箇所の上面を回転しながら通過させる円筒状回転体と、円筒状回転体の回転駆動力供給側に取り付けられ回転駆動力供給側にいく程径大となり、円筒状回転体の中央に向けた傾斜面を有するとともに表面は放射状に分割される分割片を複数設け、この分割片は放射面に対し平行状に設けた支点軸に軸支され、進行方向に対する前進角を変位可能としたことを特徴とした畦形成機。
【請求項２】
軸支される分割片を弾性体により畦側面方向へ弾性保持することを特徴とする請求項１記載の畦形成機。
【請求項３】
畦形成箇所に沿って移動され、畦形成箇所に土を盛り上げ状態に供給する土盛装置と、土盛装置の移動方向の後方に設置される畦形成装置とを有し、畦形成装置は土を盛り上げ状態とされた畦形成箇所の上面を回転しながら通過させる円筒状回転体と、円筒状回転体の回転駆動力供給側に取り付けられ回転駆動力供給側にいく程径大となり、円筒状回転体の中央に向けた傾斜面を有するとともに表面は放射状に分割される分割片を複数設け、この分割片は傾斜面に対し平行状に設けられた基板に取り付け可能とし、基板と分割片の取付部には弾性体を介在させ前進角を設け、この弾性体の弾性力により分割片の前進角変位可能としたことを特徴とした畦形成機。
【発明の詳細な説明】
【０００１】
【発明の属する技術分野】
本発明は、畦形成機の畦形成ディスクの構成に関する。
【０００２】
【従来の技術】
従来の畦形成機の畦形成ディスクの構成として、同一出願人による特許第３１４８６７８号公報によるものが知られている。この公報による畦形成機は、トラクタに装着され畦形成箇所に沿って移動され、畦形成箇所に土を盛り上げ状態に供給する土盛装置と、土盛装置の移動方向の後方に設置される畦形成装置とを有し、畦形成装置は土を盛り上げ状態とされた畦形成箇所の上を回転しながら通過させる円筒回転体と、円筒回転体の回転駆動力供給側に取り付けられ回転駆動供給側にいく程径大となり、円筒回転体の中央に向けた傾斜面を有するとともに、表面は放射状の分割片に分割され各々の分割片は進行方向に対して前進角を設けてなり、隣接する分割片の相互は逃げ角をもち、側面視にてジグザグ状に連結される円錐回転体とからなるものである。
【０００３】
【発明が解決しようとする課題】
従来技術の構成では、上記各々の分割片により形成される前進角及び逃げ角は角度が固定されるため、圃場の土の乾燥度合いにより畦形成作業がうまくいく場合といかない場合にバラツキが発生し、特に土の乾燥度合いが進んだ圃場での畦形成作業は畦側面への締め込み力が弱いという課題がある。
【０００４】
【課題を解決するための手段】
上記課題を解決するために、畦形成箇所に沿って移動され、畦形成箇所に土を盛り上げ状態に供給する土盛装置と、土盛装置の移動方向の後方に設置される畦形成装置とを有し、畦形成装置は土を盛り上げ状態とされた畦形成箇所の上面を回転しながら通過させる円筒状回転体と、円筒状回転体の回転駆動力供給側に取り付けられ回転駆動力供給側にいく程径大となり、円筒状回転体の中央に向けた傾斜面を有するとともに表面は放射状に分割される分割片を複数設け、この分割片は放射面に対し平行状に設けた支点軸に軸支され、進行方向に対する前進角を変位可能とし、又、軸支される分割片を弾性体により畦側面方向へ弾性保持し、この分割片は傾斜面に対し平行状に設けられた基盤に取り付け可能とし、基盤と分割片の取付部には弾性体を介在させ前進角を設け、この弾性体の弾性力により分割片の前進角変位可能としたことを特徴とした畦形成機を提供するものである。
【０００５】
【作用】
上記のような構成にすることにより、特に土の乾燥度合いが進んだ圃場での畦形成作業を行なう場合、分割片を変位させ初期設定の前進角を大きくとることにより多くの盛土を抱き込みながら畦側面に対し塗り込むので強固な畦を形成することができ、更に分割片を弾性保持させ畦側面への塗り込み圧を向上させ且つ自動追随させるので、強固な畦が形成でき仕上りもきれいである。
【０００６】
【実施例】
本発明を実施した図面に基づいて構成を説明する。図１は本発明を実施した畦形成機の平面図で、図２は同畦形成機の後面作用図である。図３は同畦形成機の畦形成ディスクの斜視図であり、図４は同畦形成機に備えた円錐状回転体の外周平面図である。図５は同畦形成機に備えた円錐状回転体の裏側正面図である。図６は他の実施例における畦形成ディスクの斜視図で、図７は他の実施例における円錐状回転体の外周平面図である。
【０００７】
図１，図２において、１１はフレームで前方に突設した装着マスト１２を有し、装着マストは図示されていないが走行車であるトラクタの三点リンクに装着される。１３はミッションケースで、フレーム１１の略中央部に配置され前方に向け入力軸１４が突設される。１５はユニバーサルジョイントで図示されていないがトラクタＰＴＯ軸と入力軸１４とに連結し、ＰＴＯ軸の駆動力が伝達される。進行方向に対し水平方向に直交するフレーム１１の内部には駆動軸１６が設けられ、入力軸１４に伝達された駆動力をミッションケース１３の内部に設けたベベルギヤ１３ａ，１３ｂを介し減速させ、駆動軸１６へ駆動力が伝達しフレーム１１の一方端に設けられる土盛装置Ａと畦形成装置Ｂとをそれぞれ駆動させる。
【０００８】
土盛装置Ａは砕土爪２１を爪軸２２の軸芯に対し放射状に複数本設けたロータリ２３と、このロータリ２３の一方端を固着するロータリ出力軸２４とを有し回転駆動させるロータリ駆動ケース２５により構成され、ロータリ駆動ケース２５内部には、前記駆動軸１６に固着したスプロケット２６ａとロータリ出力軸２４の内方端に固着したスプロケット２６ｂとをチェーン２７により巻架しさらに減速させ、ロータリ出力軸２４に固着されたロータリ２３を進行方向の順方向に回転させる。
【０００９】
Ｂの畦形成装置は土盛装置Ａの後方に配置され、進行方向の順方向に回転自在とした畦形成ディスク３と、この畦形成ディスク３を回転駆動させるディスク駆動ケース４１とから構成される。ディスク駆動ケース４１は内部に前記駆動軸１６の端部に固着したスプロケット４２ａと、ディスク駆動ケース４１から水平方向に突出するディスク出力軸４３の内方端に固着したスプロケット４２ｂとをチェーン４４により巻架しさらに減速させ、ディスク出力軸４３に固着したディスク３を進行方向の順方向に回転させる。
【００１０】
畦形成ディスク３は円筒状回転体３１と円錐状回転体３２とから構成されている。円筒状回転体３１は円筒形状で、前記ディスク出力軸４３の外方端部に取り付けられ、ディスク出力軸４３の回転により土盛装置Ａにより砕土を盛り上げ状態とされた畦形成箇所Ｈの上面を進行方向に順回転させ畦形成するものである。又、円錐状回転体３２はディスク出力軸４３に取り付けた円筒状回転体３１の内端外周部より回転駆動力供給側すなわちトラクタ側にいく程径大となるほぼ円錐台状の傾斜面を有し、円筒状回転体３１とともに順回転し、土盛装置Ａにより砕土盛り上げ状態とされた畦形成箇所Ｈの側面を畦形成するものである。
これら円筒状回転体３１と円錐状回転体３２により構成される畦形成ディスク３の周速は、トラクタ作業速度すなわち走行速度より速く回転するよう設定され、畦形成面をスリップ状態で締め上げる。
【００１１】
図３に示すように円錐状回転体３２の表面は放射状に分割された複数の分割片３２ａを有し、ａは畦形成側面との当接面でｂは逃げ巾である。図４に示すように、円錐状回転体３２の径大部外周面を平面視すると分割片３２ａはジクザグ状となり、進行方向ｆに対して前進角αが設けられ隣接する分割片３２ａの相互は逃げ角βをもって連結される。
【００１２】
図５において、分割片３２ａは円錐状回転体３２の傾斜面の裏側でほぼ平行状に間隔をおいて設けた基板３３から延びる傾斜面に平行状とした支点軸３４に、分割片３２ａに形成した当接面ａの裏側で回転方向Ｗの前方に設けた開口部を有する回動ブラケット３２ｂが回動自在に軸支されることにより、前進角αを変位可能とし、逃げ巾ｂを増減することができる。
【００１３】
又、分割片３２ａの裏側で回転方向Ｗの後方には係合ピン３２ｃが基板３３方向に向け突設し、基板３３には係合ピン３２ｃを通過させ係合する径合穴３５が設けられ、分割片３２ａと基板３３の間で係合ピン３２ｃの周囲には弾性体である圧縮バネ３６を介在させ、基板３３の係合穴３５を通過させた係合ピン３２ｃの端部をストッパ３７にて固定する。
分割片３２ａと基板３３の間に圧縮バネ３６を介在させることにより、分割片３２ａを畦側面方向へ弾性保持可能となる。
【００１４】
又、係合ピン３２ｃの端部には複数のストッパ穴３８が設けられ、ストッパピン３７を任意のストッパ穴３８に挿入することにより初期設定の前進角αを調整することができる。
【００１５】
このようにすることで、土盛装置Ａにより畦形成箇所Ｈを砕土し土を盛り上げ状態にし、円錐状回転体３２に備えた分割片３２ａの初期設定の前進角αを所望の角度に変位させ適量の盛土を抱き込みながら回転し、畦側面に対しては基板３３と分割片３２ａの間に介在させた圧縮バネ３６の弾性力により盛土をしっかりと塗り込むことができ強固な畦が形成される。
【００１６】
図６と図７は他の実施例を示すもので、円錐状回転体３２の表面は放射状に分割された複数の分割片５１ａを有し、分割片５１ａはほぼ扇型の独立片から構成される。ａは畦形成側面との当接面でｂは逃げ巾である。円錐状回転体３２の径大部外周面を平面視すると、円錐状回転体３２の傾斜面にほぼ平行状に設けた基板５２と前進角αを有して設けられる分割片５１ａとの間には、弾性体であるゴム５３を介在させる。ゴム５３にはネジ穴５３ａ，５３ｂがそれぞれ設けられ、ゴム５３は基板５２にビス５４ａに固定され、分割片５１ａはビス５４ｂにてゴム５３に取付けられ、取付部を重複させながら円錐状回転体３２を構成する。
【００１７】
それぞれ隣接する相互の分割片５１ａで前進角αと逃げ角βを構成する。分割片５１ａと基板５２の間に弾性体であるゴム体を介在させることにより、分割片５１ａの前進角αを常に畦側面方向に保持し、外圧が加わることにより変位可能としてある。
【００１８】
このようにすることで、土盛装置Ａにより畦形成箇所Ｈを砕土し土を盛り上げ状態にし、円錐状回転体３２の分割片５１ａがより多くの盛土を抱き込みながら回転し、畦側面に対してゴム５３の弾性力によりしっかりと塗り込むことができる。
【００１９】
【効果】
以上のように構成したので、土盛の抱き込み量を多くすることができ、弾性体の弾性力により盛土をしっかりと畦形成箇所に塗り込むことができ、複数の分割片が回転することで畦側面に対する断続圧が連続して行われ叩き作用を発揮し、特に土の乾燥度合いが高い圃場での畦形成作業で効果を発揮し強固できれいな仕上りの畦が形成できる。
【図面の簡単な説明】
【図１】本発明を実施した畦形成機の平面図
【図２】同畦形成機の後面作用図
【図３】同畦形成機の畦形成ディスクの斜視図
【図４】同畦形成機に備えた円錐状回転体の外周平面図
【図５】同畦形成機に備えた円錐状回転体の裏側正面図
【図６】他の実施例における畦形成ディスクの斜視図
【図７】他の実施例における円錐状回転体の外周平面図
【符号の説明】
１１　　フレーム
１２　　装着マスト
１３　　ミッションケース
１４　　入力軸
１５　　ユニバーサルジョイント
１６　　駆動軸
２１　　砕土爪
２２　　爪軸
２３　　ロータリ
２４　　ロータリ出力軸
２５　　ロータリ駆動ケース
２６ａ，２６ｂ　スプロケット
２７　　チェーン
３　　畦形成ディスク
３１　　円筒状回転体
３２　　円錐状回転体
３２ａ　分割片
３２ｂ　回動ブラケット
３２ｃ　係合ピン
３３　　基板
３４　　支点軸
３５　　係合穴
３６　　圧縮バネ
３７　　ストッパピン
３８　　ストッパ穴
４１　　ディスク駆動ケース
４２ａ，４２ｂ　スプロケット
４３　　ディスク出力軸
４４　　チェーン
５１ａ　分割片
５２　　基板
５３　　ゴム
５４ａ，５４ｂ　ビス
【図１】
2004135642.tif 000003
【図２】
2004135642.tif 000004
【図３】
2004135642.tif 000005
【図４】
2004135642.tif 000006
【図５】
2004135642.tif 000007
【図６】
2004135642.tif 000008
【図７】
2004135642.tif 000009